(57)【特許請求の範囲】
【請求項１】
装着部と、非装着部とを有する表層部と、
前記表層部を支持し、前記表層部を貫通する方向に沿って、前記装着部および前記非装着部のうち一方を他方に対して進退させるように構成されたベース部と
を具備し、
前記表層部は、前記非装着部に対して前記装着部が突出するように構成され、
前記ベース部は、前記表層部が延在する方向に沿って前記ベース部に圧縮力または張力が加えられることにより、前記装着部に対して前記非装着部が突出するように、前記装着部および前記非装着部を相対的に駆動する
着脱構造。
【請求項２】
請求項１に記載の着脱構造であって、
前記ベース部は、
前記装着部を支持する固定層と、
前記非装着部を支持する可動層と
を有する
着脱構造。
【請求項３】
請求項２に記載の着脱構造であって、
前記可動層は、
前記非装着部を支持し、前記固定層に少なくとも両側を挟まれるように構成された第１の可動部と、
前記第１の可動部より深い位置に設けられ、前記第１の可動部に連続して前記第１の可動部から広がるように構成された第２の可動部と
を有する
着脱構造。
【請求項４】
請求項２または３に記載の着脱構造であって、
前記可動層は、前記固定層のヤング率より低いヤング率を有する材料で構成される
着脱構造。
【請求項５】
請求項１から４のうちいずれか１項に記載の着脱構造であって、
前記装着部は、複数のフックを有する
着脱構造。
【請求項６】
請求項５に記載の着脱構造であって、
前記複数のフックのうち少なくとも１つの先端は、角錐または円錐形状を有する
着脱構造。
【請求項７】
請求項５または６に記載の着脱構造であって、
前記複数のフックの先端の向きが２方向以上となるように構成される
着脱構造。
【請求項８】
請求項１から７のうちいずれか１項に記載の着脱構造であって、
前記表層部は、前記非装着部を複数有する
着脱構造。
【請求項９】
請求項１から８のうちいずれか１項に記載の着脱構造であって、
前記装着部は、前記ベース部の表面が区画された複数の領域と、前記複数の領域に設けられた複数のフックとを有し、
前記フックの先端の向きが、前記領域ごとに異なるように構成される
着脱構造。
【請求項１０】
請求項１から９のうちいずれか１項に記載の着脱構造であって、
前記ベース部は、
前記非装着部の表面を構成する面と、
前記面が開口されることにより形成され、潤滑材料を保持する保持部を有する
着脱構造。
【請求項１１】
装着部と、非装着部とを有する表層部と、
前記表層部を支持し、前記表層部を貫通する方向に沿って、前記装着部および前記非装着部のうち一方を他方に対して進退させるように構成されたベース部と
を備え、
前記表層部は、前記非装着部に対して前記装着部が突出するように構成され、
前記ベース部は、前記表層部が延在する方向に沿って前記ベース部に圧縮力または張力が加えられることにより、前記装着部に対して前記非装着部が突出するように、前記装着部および前記非装着部を相対的に駆動する
着脱構造を有する物。
【発明の詳細な説明】
【技術分野】
【０００１】  本技術は、着脱構造、およびこの着脱構造を有する機器、器具、その他の物に関する。
【背景技術】
【０００２】  例えば、ウェアラブル機器を身に着けるための構造として、例えばヘッドマウント型の機器では、眼鏡のフレームのような構造を有するものが多い（例えば、特許文献１参照。）。また、ヘッドマウント型以外のウェアラブル機器としては、リストバンド型、すなわち時計型の機器も提案されており（例えば、特許文献２参照）、既に市場に流通して機器もある。
【先行技術文献】
【特許文献】
【０００３】
【特許文献１】特開2013-88725号公報
【特許文献２】特開2013-140158号公報
【発明の概要】
【発明が解決しようとする課題】
【０００４】  しかしながら、これらのウェアラブル機器は、耳にかけるための構造や腕に巻くための構造を必要とし、機器の形状がそれらの構造に依存されてしまう。【０００５】  したがって、本技術の目的は、着脱のための形状の制限が少ない、または制限されない着脱構造およびこれを有する物を提供することにある。
【課題を解決するための手段】
【０００６】  上記目的を達成するため、本技術に係る着脱構造は、表層部と、ベース部とを具備する。  前記表層部は、装着部と、非装着部とを有する。  前記ベース部は、前記表層部を支持し、前記装着部および前記非装着部のうち一方を他方に対して進退させるように構成される。  表層部が装着部および非装着部を有するので、着脱のための表層部の形状に制限が少なく、または、その形状は制限されない。表層部を支持するベース部では、装着部および非装着部のうち一方が他方に対して進退するように動くので、着脱構造を実現することができる。【０００７】  前記ベース部は、前記ベース部に圧縮力または張力が加えられることにより、前記装着部および前記非装着部を相対的に駆動してもよい。  これにより、例えばユーザがベース部を摘まむまたは引っ張ることにより、表層部での着脱が実現される。【０００８】  前記ベース部は、前記装着部を支持する固定層と、前記非装着部を支持する可動層とを有してもよい。【０００９】  前記可動層は、第１の可動部と、第２の可動部とを有してもよい。  前記第１の可動部は、前記非装着部を支持し、前記固定層に少なくとも両側を挟まれるように構成される。  前記第２の可動部は、前記第１の可動部より深い位置に設けられ、前記第１の可動部に連続するように構成される。【００１０】  前記第２の可動部は、前記第１の可動部から広がるように設けられてもよい。  ベース部に圧縮力を加えることにより、第１の可動部を固定層から突出させることができる。【００１１】  前記可動層は、前記固定層のヤング率より低いヤング率を有する材料で構成されてもよい。【００１２】  前記装着部は、複数のフックを有してもよい。  これにより、装着部は面ファスナの機能を有し、表層部の着脱が容易となる。【００１３】  前記複数のフックのうち少なくとも１つの先端は、角錐または円錐形状を有してもよい。  これにより、装着部が被装着体に確実に装着される。【００１４】  前記複数のフックの先端の向きが２方向以上となるように構成されてもよい。【００１５】  前記表層部は、前記非装着部を複数有してもよい。【００１６】  前記装着部は、前記ベース部の表面が区画された複数の領域と、前記複数の領域に設けられた複数のフックとを有してもよい。また、前記フックの先端の向きが、前記区画された領域ごとに異なるように構成されてもよい。  これにより、フックの先端の向きを複数有する、多様な着脱構造を実現することができる。【００１７】  前記ベース部は、前記非装着部の表面を構成する面と、前記面が開口されて形成され、潤滑材料を保持する保持部を有してもよい。  これにより、潤滑材料が、非装着部から、非装着部と被装着体との間に供給され、非装着部が滑りやすくなり、装着の解除が容易となる。【００１８】  上記した着脱構造は、様々な機械、器具、用具、電子機器等に適用可能である。
【発明の効果】
【００１９】  以上、本技術によれば、着脱のための形状が制限が少ない、または制限されない着脱構を実現することができる。  なお、ここに記載された効果は必ずしも限定されるものではなく、本開示中に記載されたいずれかの効果であってもよい。
【図面の簡単な説明】
【００２０】
【図１】図１は、本技術の第１の実施形態に係る着脱構造を模式的に示す平面図である。
【図２】図２は、図１に示す着脱構造の表層部を拡大して模式的に示す斜視図である。
【図３】図３Ａは、図１におけるＡ−Ａ線断面図である。図３Ｂは、可動層が駆動する状態を示す。
【図４】図４は、フックの構成の一例を示す図である。
【図５】図５は、本技術の第２の実施形態に係る着脱構造を示す模式的な断面図である。
【図６】図６は、本技術の第３の実施形態に係る着脱構造であって、潤滑材料の保持部の構成を模式的に示す断面図である。
【図７】図７Ａ、Ｂは、第４の実施形態に係る着脱構造を平面視で示す。
【図８】図８は、第５の実施形態に係る着脱構造を平面視で示す。
【発明を実施するための形態】
【００２１】  以下、図面を参照しながら、本技術の実施形態を説明する。
【００２２】  １．第１の実施形態
【００２３】  １）着脱構造の構成  図１は、本技術の第１の実施形態に係る着脱構造を模式的に示す平面図である。図２は、この着脱構造１００の表層部２０を拡大して模式的に示す斜視図である。図３Ａは、図１におけるＡ−Ａ線断面図である。
【００２４】  着脱構造１００は、表層部２０と、表層部２０を支持するベース部４０とを備える。表層部２０は、装着部２２と、非装着部２４とを有する。表層部２０は、この着脱構造１００の、ベース部４０の表面２２ａから図中上側の部位である。装着部２２は、ベース部４０の表面２２ａから突出する複数のフック２３を有する。非装着部２４にはフック２３は設けられておらず、ベース部４０の表面２４ａが露出している。以下では、説明の便宜のため、装着部２２に対応する、ベース部４０の表面を「装着面」２２ａといい、非装着部２４に対応する、ベース部４０の表面を「非装着面」２４ａという。
【００２５】  例えば、着脱構造１００が、非駆動状態では、装着面２２ａと非装着面２４ａとが面一となっている。あるいは、非駆動状態では、図中、非装着面２４ａがフック２３の頂点の高さ位置より低い位置であれば、それらは面一でなくてもよい。
【００２６】  ベース部４０は、装着部２２および非装着部２４のうち一方を他方に対して進退させるように構成されている。本実施形態では、ベース部４０に圧縮力が加えられることにより、装着部２２に対して非装着部２４（非装着面２４ａ）が突き出るように構成されている（図３Ｂの駆動状態を参照）。
【００２７】  例えばベース部４０は、装着部２２（すなわち複数のフック２３）を支持する固定層４１と、非装着部２４を支持する可動層４７とを有する。可動層４７は、ベース部４０のうち表層側領域４２に設けられた表層側可動部（第１の可動部）４５と、それより深い位置の深層側領域４４に設けられた深層側可動部（第２の可動部）４６とを有する。
【００２８】  表層側可動部４５は、固定層４１に少なくとも両側を挟まれるように設けられている。例えば表層側可動部４５は、図１に示すように非装着部２４の周囲に装着部２２が配置されるように設けられる。装着部２２は面ファスナを構成する。
【００２９】  図３Ａに示すように、深層側可動部４６は、表層側可動部４５に連続するように構成され、表層側可動部４５から広がるように設けられる。深層側可動部４６は、例えば円錐状、放射状、あるいはこれらに類する３次元形状で構成されている。
【００３０】  なお、例えば表層側可動部４５と、固定層４１との間に隙間があってもよい。その隙間は1μm程度でもよい。
【００３１】  図２は、装着部２２のフック２３を拡大して示す斜視図である。フック２３は、例えば曲がった円柱形状を有し、その先端部２３ａは例えば円錐形状を有している。フック２３は、曲がった角柱形状を有し、その先端部２３ａは角錐形状を有していてもよい。
【００３２】  なお、図１で示された装着面２２ａにおけるフック２３の数はさらに多くてもよい。あるいは、単位面積当たりのフックの数はさらに高くてもよい。また、フック２３の２次元配列や、その先端部の向きは、規則的でもよいし、ランダムであってもよい。
【００３３】  図４は、フック２３の構成の一例を示す図である。フック２３のサイズの例は、以下に挙げる。
【００３４】  高さH：50μm〜5mm  太さT：10μm〜1mm  曲率角度θ：50°〜150°  傾き角α：110°〜155°  先端の角度β：40°〜80°
【００３５】  例えば、この着脱構造が装着される図示しない対象（以下、被装着体という。）が衣類である場合、衣類の繊維の太さは、羊毛や絹等の太いもので50μm程度である。したがって、高さHが50μm以上あればよい。またその上限値として、外観に影響が出ない範囲として5mmとされる（JIS P 8208）。
【００３６】  太さTは、先端部２３ａ以外の部分の太さであって、平均値、最大値、または最小値を表す。太さTは、蚊の針の太さの約15μm程度、ここでは10μmが下限値とされる。また、現実的な上限値として1mmが選択される。
【００３７】  曲率角度θは、例えばフック２３の曲線部が円弧状である場合に、その円弧を形成するための円中心の角度である。この円弧はフック２３の中心を通り破線で示している。図４に示すフック２３は、円中心が装着面２２ａ内に位置し、かつ、先端まで円弧形状を有する。すなわち、図４は、その全体形状が円弧である例を示している。円中心の位置はもちろん装着面２２ａより外側にあってもよいし、また、装着面２２ａからフックの根元が直線状に突出し、所定の高さ位置から円弧状に曲がっていてもよい。
【００３８】  曲率角度θは、例えば50°〜150°、または80°〜120°などに設定され、例えば90°とされる。これにより、被装着体が繊維である場合に、フック２３がそれに引っかかることができる。
【００３９】  フック２３の傾き角αは、フック２３の根元の中心から最大高さの位置（H）までの、装着面２２ａに対する角度である。傾き角αは、例えば110°〜155°に設定される。傾き角αが155°より大きい場合、例えば被装着体としてのループ繊維にフックが引っかかりにくくなる。傾き角αが110°より小さい場合、例えば被装着体としてのループ繊維に引っかかったフックが外れやすくなる。すなわち、傾き角αがこの範囲以外であると、ループ繊維に対してフックの適切な係合が得られない。傾き角αは、より好ましくは120°〜150°とされる。
【００４０】  先端部２３ａの角度βは、40°〜80°とされ、被装着体に刺さる際の力が分散するように例えば60°とされる。しかしながら、フックの先端部２３ａはこのように鋭角に尖っている必要はなく、矩形であったり、曲面を持っていたりしてもよい。
【００４１】  以上説明したフック２３の形状およびサイズは、あくまで一例であり、被装着体の構造によって適宜変更され得る。フック２３は、例えば被装着体である繊維等に対して弾性力を持つことが望ましく、そのためのサイズおよび形状を有していればよい。また、それを実現するための後述する材料が用いられる。
【００４２】  可動層４７は、固定層４１のヤング率より低いヤング率を有する材料で構成される。すなわち、可動層４７が固定層４１に対して駆動するために、固定層４１より柔らかい材料で構成される。可動層４７は、例えばゴムで構成され、固定層４１は樹脂で構成される。
【００４３】  可動層４７および固定層４１ともに樹脂で構成されてもよい。樹脂としては、PEEK、PC、PMMA、POM、PU、PET、PA、PCTFE、PTFE、FEP、PFA、ETFE、PVDF、PVC軟質、PVA、ABS、PP、PMMAPS等が選択的に用いられ得る。例えばヤング率が比較的高い材料としては、POMやABSが挙げられる。ヤング率が比較的低い材料としては、PPやPTFEが挙げられる。
【００４４】  フック２３を構成する材料としても、典型的には上述の樹脂材料で構成される。例えば、フック２３の材料としては、ナイロン＋PP（ナイロンとPPの合成物）、PC、PE、POM等が望ましい。
【００４５】  以上のように構成された着脱構造１００は、例えば図示しない射出成形装置、または３Ｄプリンタ（造形装置）により形成される。造形装置としては、例えば、特開2012-040757号公報、特開2012-106437号公報、特開2012-240216号公報、特開2013-207060号公報、特開2013-059983号公報等に記載の装置が用いられ得る。
【００４６】  着脱構造１００が射出成形法により形成される場合、例えば多色成形法、インモールド成形法等により形成される。これらの成形法により、ベース部４０の固定層４１および可動層４７が成形可能となる。
【００４７】  少なくともベース部４０の形成に造形装置が用いられる場合は、特開2012-040757号公報の第８、９の実施形態に係る造形装置を用いることにより、異なる複数種類の樹脂材料を用いて造形が可能となる。
【００４８】  ベース部４０と装着部２２とが別工程で成形され、後にベース部４０の装着部２２に対応する表面上に、フック２３を有するシート状の装着部が接続されてもよい。その接続方法は、接着剤による接合や超音波接合等が用いられる。
【００４９】  あるいは、ベース部４０が射出成形法により形成される一方、上述のフック２３を有するシート状の装着部２２は造形装置により形成されてもよい。
【００５０】  例えば特開2013-059983号公報による造形装置による造形法を繰り返してシート状造形物の積層することにより、上記フック２３を有するシート状の装着部２２を形成することができる。
【００５１】  あるいは、造形装置が用いられる場合、例えばベース部４０のうち固定層４１が光硬化性樹脂により形成され、固定層４１に設けられた通路（可動層４７が形成されるべき空間）にゴム等の材料が流し込まれて、ゴム製の可動層４７が形成されてもよい。
【００５２】  ２）着脱構造の動作  以上のように構成された着脱構造１００の使用時には、ユーザは、この着脱構造１００を表面に持つ図示しない機器、機械、器具、用具（以下、これらを単に「着脱構造を有する物」という。）を、被装着体に押し付ける。これにより、フック２３を有する装着部２２の面ファスナ構造の機能によって、繊維状の表面を持つ被装着体に、着脱構造１００を有する物が装着される。
【００５３】  図３Ｂに示すように、例えばユーザの指により、ベース部４０の表面に平行な方向、またはこれに近い方向に圧縮力が、直接または間接的に加えられる。特に可動層４７に圧縮力が加えられる。例えば着脱構造１００のサイズによっては、ユーザが指でこの着脱構造１００を摘まむようにして圧縮力を加える。圧縮力が加えられると、可動層４７のうち主に深層側可動部４６が弾性変形を起こし、それに押されるようにして表層側可動部４５が動く。そうすると、非装着面２４ａが、装着部２２から進出し、被装着体を押すように作用し、これにより、フック２３と被装着体との係合が解除される。
【００５４】  特に、深層側可動部４６は、表層側可動部４５から、円錐状または放射状に広がるように設けられているので、深層側可動部４６で受けた圧縮力、ひいては弾性力が、表層側可動部４５へ伝達されやすくなり、表層側可動部４５が、図中の上方向に動きやすくなる。その結果、表層側可動部４５は、装着部２２に対して確実に突出することができる。
【００５５】  ユーザによる圧縮力の付与が解除されると、可動層４７の弾性力により元の形状に戻り、非装着面２４ａは元の位置に戻る（図３Ａ参照）。
【００５６】  装着面２２ａおよび非装着面２４ａの面積比、あるいは、フック２３の数の密度等を適切に設計することにより、上記の着脱の動作を実現することができる。
【００５７】  ３）まとめ  本実施形態に係る着脱構造１００では、表層部２０が装着部２２および非装着部２４を有するので、着脱のための表層部２０の形状に制限が少なく、または、その形状は制限されない。そしてベース部４０では、非装着部２４が装着部２２に対して進退するように動くので、着脱可能な構造を実現することができる。
【００５８】  本実施形態に係る着脱構造１００はフック２３を有するので、装着部２２で面ファスナの機能を発揮することができ、容易に装着が可能となる。
【００５９】  本実施形態に係る着脱構造１００のフック２３の先端部２３ａが、円錐または角錐形状を有しているので、被装着体に刺さりやすく、着脱構造１００を被装着体に確実に装着可能となる。
【００６０】  本実施形態に係る着脱構造１００の平面視での形状は、例えば図１に示すように矩形であるが、これに限られず、円、楕円等、任意の形状を適用可能である。また、図１のような平面視で、装着部２２が多角形に形成され、非装着部２４が円や楕円などに形成されてもよいし、または、その逆であってもよい。
【００６１】  また、図３Ａで示すような着脱構造１００の断面形状も、このような形態に限られず、任意の形状を適用可能である。
【００６２】  ２．第２の実施形態
【００６３】  図５は、本技術の第２の実施形態に係る着脱構造を示す模式的な断面図である。これ以降の説明では、図１等に示した実施形態に係る着脱構造１００が含む部材や機能等について実質的に同様の要素については同一の符号を付し、その説明を簡略化または省略し、異なる点を中心に説明する。
【００６４】  図５に示す着脱構造２００の可動層１４７は、表層側可動部４５と、その表層側可動部４５から水平方向に広がるように設けられた深層側可動部４８とを有する。深層側可動部４８の、表層側可動部４５の反対側の位置には、例えば空洞部（あるいは切欠き部）４３が設けられている。このような空洞部４３がこのような位置に設けられることにより、上述のように、深層側可動部４８の弾性力が表層側可動部４５へ伝達されやすくなり、表層側可動部４５が確実に駆動される。
【００６５】  ３．第３の実施形態
【００６６】  図６は、本技術の第３の実施形態に係る着脱構造であって、非装着面２４ａ付近を拡大して模式的に示す断面図である。ベース部１４０は、その非装着部２４における非装着面２４ａが開口されて形成された、潤滑材料Ｓを保持する保持部３０を有する。保持部３０は、１つまたは複数設けられる。保持部３０が複数設けられる場合、それら複数の保持部３０は多孔部として機能する。
【００６７】  保持部３０は、例えば潤滑材料Ｓの貯溜部３２と、この貯溜部３２および開口３１を連通する管３３とを有する。以下に、この保持部３０の設計基準を示す。
【００６８】  管３３の内径r:使う潤滑材料Ｓに対して下記の毛細管現象の式（１）を満たすr以下の値が望ましい  貯溜部３２の直径（体積等価直径でもよい）R：管３３の内径rより大きい値であることが望ましい  管３３の長さm：特に限定はない
【００６９】  h =(2Tcosθ)/ρgr ・・・式（１）    h：液面の上昇高さ    T：表面張力    θ：接触角    ρ：潤滑材料Ｓの密度    g：重力加速度    r：管の内径
【００７０】  潤滑材料Ｓとして、シリコーン油、植物油、動物油、グリース全般等の潤滑油が用いられる。
【００７１】  複数の保持部３０が設けられる場合、その２次元配列は、マトリクス状、千鳥状、ランダム等、何でもよい。
【００７２】  本実施形態に係る着脱構造がこのような保持部３０を有することにより、潤滑材料Ｓが、非装着部２４から、非装着部２４と被装着体との間に供給され、非装着部２４が滑りやすくなり、装着の解除が容易となる。
【００７３】  ４．第４の実施形態
【００７４】  図７Ａ、Ｂは、第４の実施形態に係る着脱構造を平面視で示す。図７Ａに示す例に係る着脱構造３００は、図１に示した形態の着脱構造１００がマトリクス状に配列されて構成されたものである。すなわち、ハッチングで示す領域が装着部２２であり、その装着部２２内に白で示す複数の非装着部２４の領域が設けられる。非装着部２４を支持する可動層４７は、ベース部４０内で連結して構成されてもよい。
【００７５】  図７Ｂに示す例に係る着脱構造４００は、装着部２２と非装着部２４とが市松状に配列されて構成される。ハッチングで示す領域（外周の四角形状の枠も含む）は装着部２２であり、白で示す領域が非装着部２４である。枠の装着部２２と、市松状領域の外周部にある装着部２２（２２ｂ）との境界はなくてもよい。
【００７６】  図７Ｂに示す着脱構造４００は、四角形の装着部２２および非装着部２４を備えていたが、装着部および非装着部の形状は、三角形、ハニカム形状、その他の多角形等であってもよい。装着部と非装着部の形状が異なっていてもよい。
【００７７】
図７Ａ，Ｂに示した本実施形態では、非装着部２４が均一に散在することにより、フック２３と被装着体との係合の解除が容易になる。
【００７８】  ５．第５の実施形態
【００７９】  図８は、第５の実施形態に係る着脱構造を平面視で示す。この例では、複数の領域に区画された装着部２２のフック２３の向き（フック２３の先端の向き）が、その領域ごとに異なるように構成されている。この例に係る着脱構造５００は、４つの領域で４方向のフック２３の向きを持つ。もちろん区画数は４つに限られず、２つ（フックの向きが２方向）でもよいし、５つ以上（フックの向きが５方向以上）であってもよい。あるいは、区画数とフック２３の向きの方向の数も同じでなくてもよい。「区画」の境界には図に示すような明確な線は不要である。
【００８０】  このような構成により、フック２３の先端の向きを複数有する、多様な着脱構造を実現することができる。
【００８１】  着脱構造を持つ物が、被装着体に装着されて一定の向きで使用される物である場合、当該着脱構造は、一定の向きに形成されたフック２３を備えていればよい。
【００８２】  ６．着脱構造を有する物の例
【００８３】  着脱構造１００を有する物の例として、図示しないが、以下のような物が挙げられる。  それらは、例えば、ライフログカメラ、時計、マイクロフォン、万歩計（登録商標）、携帯電話機、その他の携帯機器、マスク、眼鏡、補聴器、社員証等の身分証明カード等である。
【００８４】  ７．他の種々の実施形態
【００８５】  本技術は、以上説明した実施形態に限定されず、他の種々の実施形態を実現することができる。
【００８６】  上記実施形態では、ベース部４０に圧縮力を加えることにより非装着部２４が突出する着脱構造について説明した。しかし、ベース部に張力を加える、つまり、引っ張ることにより、可動層が弾性変形するような構成も実現可能である。この場合、着脱構造は、可動層は装着部を支持し、固定層は非装着部を支持する構成となる。可動層に張力が加えられることにより、可動層に支持された装着部がベース部の内部側へ退避して、相対的に固定層に支持された非装着部が突出するように、着脱機構が構成される。
【００８７】  あるいは、ベース部に張力が加えられることにより伸長するような材料が、可動層の材料として用いられてもよい。このような材料は、例えば肥大化促進材料（Auxetic Materials）により実現されてもよい。肥大化促進材料としては、例えばミクロレベルで形成された、消波ブロックのような３次元形状を多数集合させた材料がある。
【００８８】  あるいは、可動層４７に通電することで可動層４７が弾性変形するような材料が当該可動層４７に用いられてもよい。このような材料は、例えば圧電素子、バイメタル、導電性高分子等が挙げられる。
【００８９】  表層側可動部と深層側可動部との間に空間が設けられ、その空間にバネ構造が配置されてもよい。すなわち、表層側可動部と深層側可動部との間にバネ構造が配置される。バネ構造は、典型的には、コイルバネであるが、板バネであってもよい。この場合、造形装置は、深層側可動部、バネ構造、および表層側可動部を含む可動層を少なくとも形成することができる。
【００９０】  上記各実施形態に係る着脱構造の装着部２２は、複数のフック２３を有していたが、これに代えて、粘着層をベース部の表面上に有していてもよい。粘着層は、例えば粘着性ゴム、粘着性樹脂、粘着テープ等で構成される。この場合、この着脱構造が人の肌に直接貼り付けられるといった使用方法に適用されることが好ましい。
【００９１】  例えば、人体に直接、着脱構造を持つ複数の電子機器が装着される場合であって、それら電子機器同士が通信する場合、その通信方式として、無線ＬＡＮ、Bluetooth（登録商標）、赤外線等の通信方式でもよいが、人体通信でもよい。
【００９２】  上記各実施形態に係る着脱構造のベース部において、可動層と固定層との間に潤滑材料が充填されていてもよい。
【００９３】  以上説明した各形態の特徴部分のうち、少なくとも２つの特徴部分を組み合わせることも可能である。
【００９４】  なお、本技術は以下のような構成もとることができる。（１）  装着部と、非装着部とを有する表層部と、  前記表層部を支持し、前記装着部および前記非装着部のうち一方を他方に対して進退させるように構成されたベース部と  を具備する着脱構造。（２）  前記（１）に記載の着脱構造であって、  前記ベース部は、前記ベース部に圧縮力または張力が加えられることにより、前記装着部および前記非装着部を相対的に駆動する  着脱構造。（３）  前記（２）に記載の着脱構造であって、  前記ベース部は、    前記装着部を支持する固定層と、    前記非装着部を支持する可動層と  を有する  着脱構造。（４）  前記（２）に記載の着脱構造であって、  前記可動層は、    前記非装着部を支持し、前記固定層に少なくとも両側を挟まれるように構成された第１の可動部と、    前記第１の可動部より深い位置に設けられ、前記第１の可動部に連続するように構成された第２の可動部と  を有する  着脱構造。（５）  前記（４）に記載の着脱構造であって、  前記第２の可動部は、前記第１の可動部から広がるように設けられる  着脱構造。（６）  前記（１）から（５）のうちいずれか１項に記載の着脱構造であって、  前記可動層は、前記固定層のヤング率より低いヤング率を有する材料で構成される  着脱構造。（７）  前記（１）から（６）のうちいずれか１項に記載の着脱構造であって、  前記装着部は、複数のフックを有する  着脱構造。（８）  前記（７）に記載の着脱構造であって、  前記複数のフックのうち少なくとも１つの先端は、角錐または円錐形状を有する  着脱構造。（９）  前記（７）または（８）に記載の着脱構造であって、  前記複数のフックの先端の向きが２方向以上となるように構成される  着脱構造。（１０）  前記（６）から（９）のういちいずれか１項に記載の着脱構造であって、  前記表層部は、前記非装着部を複数有する  着脱構造。（１１）  前記（１）から（９）のうちいずれか１項に記載着脱構造であって、  前記装着部は、前記ベース部の表面が区画された複数の領域と、前記複数の領域に設けられた複数のフックとを有し、  前記フックの先端の向きが、前記領域ごとに異なるように構成される  着脱構造。（１２）  前記（１）から（１１）のうちいずれか１項に記載の着脱構造であって、  前記ベース部は、    前記非装着部の表面を構成する面と、    前記面が開口されることにより形成され、潤滑材料を保持する保持部を有する  着脱機構。（１３）  装着部と、非装着部とを有する表層部と、  前記表層部を支持し、前記装着部および前記非装着部のうち一方を他方に対して進退させるように構成されたベース部と  を備えた着脱構造を有する物。
【符号の説明】
【００９５】  ２０…表層部  ２２…装着部  ２３…フック  ２３ａ…先端部  ２４…非装着部  ３０…保持部  ４０、１４０…ベース部  ４１…固定層  ４５…表層側可動部  ４６、４８…深層側可動部  ４７、１４７…可動層  ４８…深層側可動部  １００、２００、３００、４００、５００…着脱構造
【図１】
0006587066.tif 000002
【図２】
0006587066.tif 000003
【図３】
0006587066.tif 000004
【図４】
0006587066.tif 000005
【図５】
0006587066.tif 000006
【図６】
0006587066.tif 000007
【図７】
0006587066.tif 000008
【図８】
0006587066.tif 000009